(57)【要約】【課題】  被測定者から検出した生体情報の利用範囲を広げ、被測定者が多様なサービスを受けられるようにする。【解決手段】  生体情報収集装置１がユーザＡの生体情報を収集し、その生体情報をユーザ端末２が処理サーバ３に送信する。処理サーバ３においては、生体情報について所定のアルゴリズムに基づいて診断を行い、診断結果を蓄積する。また、処理サーバ３には、生体情報や診断結果の送信先および送信条件（送信時期や送信内容）が記憶されており、この送信条件に対応する送信先に指定された内容の情報を送信する。例えば、サービス提供端末装置２０に送信されると、ここから保険会社２５ｄや介護会社２５ａに転送あるいはサービス指示が行われ、ユーザＡは所期のサービスを受けることができる。また、処理サーバ３からユーザＡの肉親であるＢさんのＢ端末に異常を知らせる通報を送信することもでき、ユーザＡさんは救護等を受けることができる。【選択図】      図１
2005279051.tif 000002
【特許請求の範囲】
【請求項１】
人体の物理的あるいは化学的状態から検出される生体情報をネットワークを介して受信する受信手段と、
前記生体情報を所定のアルゴリズムに基づいて解析し、解析結果を解析情報として出力する解析手段と、
一または複数の送信先のアドレスが記憶されたアドレス記憶手段と、
前記各送信先への個々の送信時期と送信項目を記憶する送信条件記憶手段と、
前記生体情報および前記解析情報の中から前記送信条件記憶手段に記憶されている送信項目に応じた情報を選択し、この選択した情報を前記送信条件記憶手段に記憶されている送信時期において前記各送信先に送信する送信手段
とを具備することを特徴とする生体情報管理装置。
【請求項２】
人体の物理的あるいは化学的状態を検出して生体情報として収集する生体情報収集手段と、
前記生体情報収集手段が収集した前記生体情報をネットワークを介して出力するユーザ端末装置と、
前記生体情報をネットワークを介して受信する処理端末装置であって、
前記生体情報を所定のアルゴリズムに基づいて解析し、解析結果を解析情報として出力する解析手段と、
一または複数の送信先のアドレスが記憶されたアドレス記憶手段と、
前記各送信先への個々の送信時期と送信項目を記憶する送信条件記憶手段と、
前記生体情報および前記解析情報の中から前記送信条件記憶手段に記憶されている送信項目に応じた情報を選択し、この選択した情報を前記送信条件記憶手段に記憶されている送信時期において前記各送信先に送信する送信手段とを有する処理端末装置
とを具備することを特徴とする生体情報管理システム。
【請求項３】
前記ユーザ端末装置は前記生体情報を出力する際にユーザを識別する識別情報を添付する識別情報付加手段を有し、
前記処理端末装置は、
前記ユーザ端末装置から送信された前記生体情報の量または前記解析情報に基づいてマイレージデータを生成するマイレージデータ生成手段と、
前記マイレージデータ生成手段が生成したマイレージデータを前記識別情報と対応させて記憶するマイレージデータ記憶手段とを有することを特徴とする請求項２記載の生体情報管理システム。
【請求項４】
前記生体情報収集手段は、人体に操作されることによって物理的に音を発生する楽器体と、
前記楽器体の発生音を検出して生体情報を生成する生体情報生成手段
とを具備することを特徴とする請求項２または３記載の生体情報管理システム。
【請求項５】
前記生体情報収集手段は、人体に操作されることによって電子的に楽音信号を生成する電子楽器体と、
前記楽音信号から生体情報を生成する生体情報生成手段
とを具備することを特徴とする請求項２または３記載の生体情報管理システム。
【請求項６】
前記生体情報収集手段は、人体に装着され、人体の物理的状態または化学的状態を検出することにより生体情報を生成する医療測定型生体情報生成手段をさらに具備することを特徴とする請求項４または５記載の生体情報管理システム。
【発明の詳細な説明】
【技術分野】
【０００１】
本発明は、人体から生体情報を取得し、それに基づいて種々のサービスを行う生体情報管理装置および生体情報管理システムに関する。
【背景技術】
【０００２】
脈拍、血圧などの生体情報を検出して健康管理に役立てる装置は種々開発されている。例えば、特許文献１には、次のようなシステムが記載されている。まず、カメラで被介護者の外観状態を撮影するとともに、測定用の医療機器を用いて被介護者に対し医療計測を行い、これらの情報をインターネットを介してサーバーサイトに伝送する。そして、サーバーサイトでは送られた情報を下に異常の有無を判断し、異常と判断されたら介護派遣員を呼び出して被介護者のところへ派遣する。この特許文献１に記載されたシステムによれば、被介護者はサーバーサイトが呼び出す介護派遣員によって健康や安全がサポートされる。
【０００３】
また、特許文献２では、生体情報の測定の対象となっている人が、リラックスした状態で測定できるように、サーバが送信した演奏データを配信し、この演奏データに基づく自動演奏が行われている間に生体情報を収集するようにしている。より詳細に言えば、自動演奏に合わせてユーザが楽器を演奏し、この演奏中にユーザに対して測定が行われるようになっている。そして、サーバは収集した生体情報から診断を行い、診断結果やアドバイスをユーザに送信する。
【特許文献１】特開２００３−４４５９２号公報
【特許文献２】特開平１４−７３８１９号公報
【発明の開示】
【発明が解決しようとする課題】
【０００４】
上述したように、従来装置においては、情報のやり取りがユーザと所定のサーバとの間に止まっていた。したがって、ユーザの生体情報をサイト内で処理し、ユーザに処理結果を提示する程度のサービスしかできない。しかし、ユーザが望むサービスは多様であり、これに応えることができるシステムの開発が望まれていた。
【０００５】
本発明は、上述した事情に鑑みてなされたもので、ユーザの生体情報の利用の範囲を広げ、これにより、ユーザに提供するサービスに広がりを持たせることができる生体情報管理システムを提供することを目的とする。
【課題を解決するための手段】
【０００６】
上述した課題を解決するため本発明は、人体の物理的あるいは化学的状態から検出される生体情報をネットワークを介して受信する受信手段と、前記生体情報を所定のアルゴリズムに基づいて解析し、解析結果を解析情報として出力する解析手段と、一または複数の送信先のアドレスが記憶されたアドレス記憶手段と、前記各送信先への個々の送信時期と送信項目を記憶する送信条件記憶手段と、
前記生体情報および前記解析情報の中から前記送信条件記憶手段に記憶されている送信項目に応じた情報を選択し、この選択した情報を前記送信条件記憶手段に記憶されている送信時期において前記各送信先に送信する送信手段とを具備することを特徴とする。
【０００７】
また、好ましい態様としては、人体の物理的あるいは化学的状態を検出して生体情報として収集する生体情報収集手段と、前記生体情報収集手段が収集した前記生体情報をネットワークを介して出力するユーザ端末装置と、前記生体情報をネットワークを介して受信する処理端末装置であって、前記生体情報を所定のアルゴリズムに基づいて解析し、解析結果を解析情報として出力する解析手段と、一または複数の送信先のアドレスが記憶されたアドレス記憶手段と、前記各送信先への個々の送信時期と送信項目を記憶する送信条件記憶手段と、前記生体情報および前記解析情報の中から前記送信条件記憶手段に記憶されている送信項目に応じた情報を選択し、この選択した情報を前記送信条件記憶手段に記憶されている送信時期において前記各送信先に送信する送信手段とを有する処理端末装置とを具備することを特徴とする。
【０００８】
また、上記においては、前記ユーザ端末装置は前記生体情報を出力する際にユーザを識別する識別情報を添付する識別情報付加手段を有し、前記処理端末装置は、前記ユーザ端末装置から送信された前記生体情報の量または前記解析情報に基づいてマイレージデータを生成するマイレージデータ生成手段と、前記マイレージデータ生成手段が生成したマイレージデータを前記識別情報と対応させて記憶するマイレージデータ記憶手段とを有すると好適である。
【０００９】
また、上記において、前記生体情報収集手段は、人体に操作されることによって物理的に音を発生する楽器体と、前記楽器体の発生音を検出して生体情報を生成する生体情報生成手段とを具備してもよく、あるいは、人体に操作されることによって電子的に楽音信号を生成する電子楽器体と、前記楽音信号から生体情報を生成する生体情報生成手段とを具備してもよい。
【００１０】
さらに、前記生体情報収集手段は、人体に装着され、人体の物理的状態または化学的状態を検出することにより生体情報を生成する医療測定型生体情報生成手段を具備すると好適である。
【発明の効果】
【００１１】
本発明によれば、生体情報の被測定者は、その測定結果、あるいは解析結果（診断結果）を任意の相手に送信するように設定することができる。したがって、特定の処理装置（サーバなど）との間の一対一のサービスだけでなく、より広いサービスを受けることができる。例えば、保険会社や介護士からサービスを受けるように拡張することも容易であり、また、緊急連絡先として親族、知人などを容易に設定することができる。
【発明を実施するための最良の形態】
【００１２】
［Ａ．第１実施形態］
図１は、本発明の第１実施形態の構成を示すブロック図である。図において、１は生体情報収集装置であり、ユーザＡから生体情報を収集する。本実施形態の場合、生体情報収集装置１は、血圧センサＳ１、脈波検出センサＳ２、心拍数検出センサＳ３を有しており、これらのセンサがユーザＡに装着されるようになっている。血圧センサＳ１、脈波検出センサＳ２、心拍数検出センサＳ３が検出した血圧データ、脈波データ、心拍数データは、生体情報収集装置１からユーザ端末装置２に供給される。
【００１３】
ユーザ端末装置２は、ＣＰＵと、このＣＰＵで用いられるプログラム等を記憶したＲＯＭと、ＣＰＵのワークエリアとなるＲＡＭと、キーボードなどの操作部と、各種表示を行うモニタ等によって構成されている。このユーザ端末装置２は、ユーザＡによって操作され、インターネットを介して処理サーバ３と通信を行うようになっている。
【００１４】
処理サーバ３は、各種の処理を行うサーバであり、図２に示す構成となっている。図２において、５は装置各部を制御するＣＰＵ、６はＣＰＵ５で用いられるプログラム等を記憶したＲＯＭ、７はＣＰＵのワークエリアとして用いられるＲＡＭである。また、８はインターネットとの通信を処理する通信インターフェイスである。１０は診断情報記憶部であり、生体情報に基づく各種診断を行うためのデータや、診断結果に応じた案内文（例えば、注意を促す文章やアドバイスを示す文章など）が記憶される。
１１はユーザ情報記憶部であり、ユーザ毎にユーザファイルＵＦが設定される。ユーザファイルＵＦには、図示のように各種のファイルが設定されている。
【００１５】
まず、ユーザ情報ファイルＦ１は、ユーザに関する情報が記憶されるファイルであり、ユーザの氏名、住所およびユーザを識別するユーザ識別子ＵＩＤなどが記憶される。診断結果ファイルＦ２は、ユーザについての診断結果やユーザの生体情報等が記憶されるファイルである。送信先ファイルＦ３は、ユーザについての診断結果や生体情報を送信する相手のメールアドレスが記憶されるファイルであり、単一もしくは複数のアドレスが記憶される。送信条件ファイルＦ４は、送信先ファイルＦ３に記憶された各アドレスについて、どのようなタイミングで、どのようなデータを送信するかという送信条件が記憶されるファイルである。例えば、１日１回午後５時に心拍データだけを送信する、あるいは毎週金曜日の午後５時に心拍データ、血圧データおよびそれらの診断結果を送信する、というように送信タイミングと送信する内容が記憶される。
【００１６】
次に、図１に示す２０はユーザの生体情報や診断結果に基づいて各種サービスの仲介を行う業者が用いるサービス提供端末装置である。このサービス提供端末装置２０は処理サーバ３とインターネットを介して通信を行うようになっている。２５はユーザに対して直接のサービスを行うサービス施行部であり、サービス提供端末装置２０を操作している業者からの連絡により、各種サービスを行う。
【００１７】
本実施形態の場合、サービス施行部２５は、介護を行う介護会社２５ａ、健康についての各種アドバイスを行うカウンセラー２５ｂ、音楽を用いた治療を行う音楽療法士２５ｃおよび保険会社２５ｄから成っている。
また、図１に示す３０はユーザＡの肉親であるＢさんが所有するＢ端末であり、インターネットを介して処理サーバ３と通信が可能になっている。
【００１８】
次に、上記構成によるこの実施形態の動作について説明する。まず、ユーザＡは、ユーザ端末装置２を用いて処理サーバ３にアクセスし、健康管理の申し込みをする。処理サーバ３は、所定の申し込み画面をユーザ端末装置２に送信し、ユーザＡに申し込みに必要な項目の入力を促す。この際に、処理サーバ３は、ユーザ識別子ＵＩＤを送信するとともに、パスワードの入力を促す。そして、ユーザ端末装置２からパスワードが入力されると、処理端末３のＣＰＵ５は、図２に示すユーザ情報記憶部１１内にユーザＡについてのユーザファイルＵＦを生成し、そのユーザ情報ファイルＦ１にユーザ識別子ＵＩＤとパスワードを書き込む。また、ＣＰＵ５は、ユーザ端末装置２から入力されたユーザＡの名前、住所、連絡先などもユーザ情報ファイルＦ１に書き込む。
【００１９】
次に、ＣＰＵ５は、どのような健康管理サービスを希望しているかをユーザ端末装置２に問い合わせる。問い合わせは、健康管理サービスのコース名をユーザ端末装置２に表示し、それを選択することによって行う。
ユーザ端末装置２からコース名の選択（例えば、ストレス解消コース、健康監視コース、ダイエットコース、保険管理など）が行われると、ＣＰＵ５はユーザ情報ファイルＦ１に、選択されたコースを識別するコース識別データを書き込む。なお、選択は２以上でも構わない。
【００２０】
次に、ＣＰＵ５はユーザＡの生体情報や診断結果などを転送する相手の入力を促す。この例の場合、ユーザＡは肉親であるＢさんのメールアドレスを登録したとする。また、ＣＰＵ５は、各種サービスの仲介を行うサービス提供端末装置２０の業者のＥメールアドレスを自動的に登録する。
また、ＣＰＵ５はサービス内容の詳細項目をユーザ端末装置２に送信し、それらについてユーザ端末装置２から返信された内容に基づいて送信条件を生成し、生成した送信条件を送信条件ファイルＦ４に書き込む。例えば、「ユーザＡの生体情報から異常が検出されたらＢさんにメールを送信する」等の条件を書き込む。
以上の処理は、例えば、ユーザＡに代わってＢさんが端末Ｂを用いて行ってもよい。
【００２１】
上述の初期登録処理が終了した後は、ユーザＡについて、健康管理がスタートする。そして、ユーザＡが血圧センサＳ１、脈波検出センサＳ２、心拍数検出センサＳ３を身体に装着して測定を行うと、これらのセンサからの測定結果が情報収集装置１において収集され、生体情報としてユーザ端末装置２に供給される。ユーザ端末装置２は、供給された生体情報を処理サーバ３に送信する。処理サーバ３においては、通信インターフェイス８を介して生体情報を受信すると、ＣＰＵ５は生体情報について日時を示すデータを添付してユーザＡの診断結果ファイルＦ２に書き込む。以後は、ユーザ端末装置２から生体情報が送信される度に、診断結果ファイルＦ２にユーザＡの生体情報が蓄積されてゆく。
【００２２】
また、ＣＰＵ５は、診断情報記憶部１０内の診断データを参照することにより、生体情報について診断を行う。診断のアルゴリズムについては、ＲＯＭ６に格納されたプログラムに記述されている。そして、診断としては、例えば、診断情報記憶部１０に、血圧値の正常値範囲、低血圧範囲、高血圧範囲を示すデータが記憶されている場合は、これらのデータを参照することにより、ユーザＡの血圧値を診断する。この診断結果は、日時を示すデータが添付された後に、診断結果ファイルＦ２に格納される。
【００２３】
また、ＣＰＵ５は、診断情報記憶部１０に記憶されているコメントやアドバイスの文章データを読み出し、ユーザ端末装置２に送信し、ユーザＡに通知する。例えば、ユーザＡが高血圧と診断されたとき、診断情報記憶部１０に、高血圧に対応して「血圧が高いです。○○は控えましょう。生活習慣を○○のようにしましょう。」というコメントが記憶されていれば、これを読み出してユーザ端末装置２に送信する。また、このコメントについても、診断結果とともに診断結果ファイルＦ２に格納される。
以上のようにして、診断結果ファイルＦ２には、ユーザＡの生体情報、診断結果、コメントが蓄積されてゆく。
【００２４】
そして、ＣＰＵ５は、診断結果ファイルＦ２に蓄積された情報に対して以下の診断処理を行う。例えば、血圧値が次第に高くなってきたら、その上昇度合いに応じてユーザ端末装置２にコメントを送信する。このような蓄積データに対する処理についても、診断情報記憶部１０内の診断データを参照して行う。すなわち、ＣＰＵ５は診断結果ファイルＦ２内の血圧値のデータの変化の傾向がほぼ一定か、上昇しているか、下降しているかを判断し、その変化の度合いを、診断情報記憶部１０内に記憶されている基準値に基づいて評価する。そして、評価結果に応じたコメントを診断情報記憶部１０から読み出してユーザ端末装置２に送信する。さらに、ＣＰＵ５は、診断結果ファイルＦ２に蓄積されている脈拍や脈波の値の変化についても上記と同様の診断を行う。
【００２５】
また、ＣＰＵ５は送信条件ファイルＦ４を適宜参照し、その条件に合致した場合には、診断結果ファイルＦ２内の生体情報、診断結果、コメントなどを送信する。例えば、送信条件ファイルＦ４に「ユーザＡの生体情報から異常が検出されたらＢさんにメールを送信する」という条件が書き込まれていれば、ＣＰＵ５の診断結果により、ユーザＡの血圧が異常に上昇したと判断された時点で、その旨を示すコメントとともに血圧値をＢさんのアドレスに送信する。これにより、Ｂ端末３０を操作するＢさんは、ユーザＡの異常を知ることができ、直ちにユーザＡの介護に向かうことができる。なお、Ｂさんのメールアドレスは、送信先ファイルＦ３を参照して認識する。
【００２６】
また、送信条件ファイルＦ４にサービス提供端末装置２０への送信条件として、「毎週金曜日の５時にその週に採取されたユーザＡの生体情報およびそれに対するコメントを送信する」という条件が記述されていれば、ＣＰＵ５は送信条件ファイルＦ４の記述にしたがい、診断結果ファイルＦ２から該当する情報を抽出し、抽出した情報をサービス提供端末装置２０へ送信する。
【００２７】
サービス提供端末装置２０においては、処理端末３から送信された生体情報およびコメントを、サービス施行部門２５のサービス施行者のうちユーザＡが設定したサービスに応じた施行者に転送する。あるいは、情報の転送に代えて必要となるサービスを依頼してもよい。この依頼は、サービス提供端末装置２０から通信により電送してもよく、また、サービス提供端末装置２０が設置されている業者の担当者から電話連絡等によって通知してもよい。
ここで、保険会社２５ｄに対して保険サービスが設定されている場合の処理の一例を説明する。この場合、送信条件ファイルＦ４に、「毎週金曜日の５時にその週に採取されたユーザＡの生体情報およびそれに対するコメントを送信する」という条件が記述されているものとすると、保険会社２５ｄにおいて情報を受信する端末装置２５ｄ−Ｔにおいては、毎週ユーザＡの生体情報およびコメントが蓄積される。ここで、保険会社では端末装置２５ｄ−Ｔに予めプログラムを組み込んでおき、生体情報あるいは健康管理の頻度に応じて、保険掛け金の割引などを優先するサービスに関連付ける。
【００２８】
例えば、生体情報から把握される健康の度合いが契約当時より良くなっていれば保険料を低減したり、より安価な契約内容への変更を薦める情報を提供するなどのプログラムを設定しておく。また、ユーザＡが頻繁に生体情報の収集を行ったり、規則正しい時刻に生体情報の収集を行うなど、健康に対する関心が高く、日常生活において健康管理を実行していると認められる場合には、保険料金を低減するなどもサービスを行っても良い。この場合においては、生体情報の各項目について、どの程度頻繁に測定が行われたか、また、測定が行われた日時の規則性について、予め評価データ（あるいは評価関数）を設定してプログラムしておき、このプログラムに基づいて自動的に評価を行うようにする。
【００２９】
また、送信条件ファイルＦ４に記述する送信条件は、ユーザＡが選択した契約内容によって自由に設定できるから、上述した保険会社以外のサービスを設定することも、あるいは複数の施行者によるサービスを組み合わせることもできる。例えば、ユーザＡの健康状況によっては、カウンセラー２５ｂが訪問したり、電話による相談を行ったりすることもでき、また、介護会社２５ａから介護士が派遣されるというサービスを行うこともできる。さらに、音楽療法士２５ｃによる音楽療法を受けることもでき、上記の各種態様を組み合わせることもできる。
【００３０】
なお、上述した実施形態においては、サービス提供端末装置２０がサービス施行部２５内の各種サービス施行者に対して情報提供やサービス要請を行うようにしているので、サービス提供端末装置２０が一括して複数種類のサービスを管理し、かつ提供することができるというメリットがある。一方、これに代えて、処理サーバ３から直接的にサービス施行者に対して生体情報やコメント、あるいはサービスの要請を送信してもよい（図１の一点鎖線参照）。この場合においては、送信条件ファイルＦ４および送信先ファイルＦ３の記述をそのような態様に合わせておけばよい。
【００３１】
また、上述した第１実施形態は、ユーザＡが単独でサービスの設定を行う場合の実施形態であったが、複数のユーザをまとめて一つの団体として管理することもできる。すなわち、図３に示すように、複数のユーザａ，ａ・・・が共有する生体情報収集装置１によって各人の生体情報を収集し、これらの生体情報をユーザ端末装置２から送信する。この場合においては、ユーザａ，ａ・・・を識別するユーザ識別子ＵＩＤを添付して生体情報を送信する。このような態様において、保険会社２５ｄのサービスを受ける場合においては、ユーザ端末装置３が団体窓口として機能するように設定することもできる。
【００３２】
以上のように上述した実施形態においては、生体情報や診断結果の送信先や送信条件（時期や送信内容）をユーザが任意に設定することができるので、ユーザの希望に応じた多様なサービスをきめ細かく設定することができる。また、処理サーバ３においては、ユーザが選択したサービス態様に合わせた条件、宛先が設定でき、しかも、これらの設定は予めプログラムすることが可能であるから、保険やその他のサービスを一括した複合サービスを提案し易く、また、施行者との連携もし易い。
【００３３】
［Ｂ．第２実施形態］
次に、第２実施形態について説明する。この第２実施形態は、第１実施形態における生体情報収集装置１を図４に示す電子楽器装置に置き換えたものであり、その他の構成は図１と同様である。
図４に示す装置は、筒状の操作子５０を振ったり、傾けたりすると、その動作に応じて楽音を制御する電子装置であるが、この場合には楽音制御を行う演奏パラメータを生体情報として用いる。
【００３４】
図４において、一点鎖線で囲った部分は操作子５０の外形を示しており、図示のようにほぼ筒状に形成されている。操作者は、操作子５０を握り、振ったり傾けたりして演奏を制御する。
【００３５】
操作子５０の回路構成は同図に示すブロック図のようになっている。図示の５０ａはＣＰＵであり、メモリＴ１内のプログラムに基づいて動作する。メモリＴ１は、プログラム等を記憶しているＲＯＭと、ＣＰＵ５０ａがワークエリアとして用いるＲＡＭとを有している。ＭＳは動作センサであり、操作子５０の動きをＸ，Ｙ，Ｚの３軸方向において検出する速度センサおよび加速度センサを有している。動作センサＭＳの出力信号は、送受信回路Ｔ２からアンテナＴＡを介して出力される。また、Ｔ６は操作の開始を指示する操作スイッチ、Ｔ３は各種表示を行う表示ユニットである。
【００３６】
また、１００は楽音を発生する楽音発生装置であり、操作子５０から出力された動作センサＭＳの出力信号を受信する無線通信部１２２を有している。無線通信部１２２が受信した動作信号は情報解析部１２３において解析され、ここで、どのような動作が行われているかが認識される。例えば、操作子５０を振っている動作、回している動作、傾け方を変化させている動作・・・等の動作状態が認識される。
【００３７】
１２５は楽音発生部であり、予め複数の曲データを記憶しており、その曲データを読み出して自動演奏を行う。この自動演奏に際して、曲のテンポ、音量、音色などの演奏パラメータが演奏パラメータ決定部１２４から供給されるようになっており、楽音発生部１２５は供給された演奏パラメータに応じた楽音信号を生成する。演奏パラメータ決定部１２４は、情報解析部１２３から供給される解析結果に応じて演奏パラメータを決定する。１２６は、アンプやスピーカから構成されるオーディオ装置であり、楽音発生部１２５で生成された楽音信号は、オーディオ装置１２６において増幅されて放音される。
また、インターフェイス１２７は、楽音パラメータ決定部１２４が決定した楽音パラメータを生体情報としてユーザ端末装置２（図１参照）に出力する。
【００３８】
上述した構成において、例えば、操作子５０を早く振るほど音量が大きくなるような音量制御を行う場合は、情報解析部１２３における解析結果と、演奏パラメータ決定部１２４が生成する演奏パラメータの関係が上記のような対応となるように予め設定する。
以上の設定の後に、楽音発生部１２５が内部に記憶している演奏データの演奏を始める。なお、この際に演奏対象となる演奏データは、適宜選択することができるようになっている。
【００３９】
そして、操作者であるユーザＡが自動演奏を聴きながら、操作子５０を振る。情報解析部１２３は、操作子５０が振られる動作を検出すると、その速さを解析して演奏パラメータ決定部１２４に出力する。演奏パラメータ決定部１２４においては、解析結果に応じた演奏パラメータ、すなわち、操作子５０の振る速さに応じた演奏パラメータを生成して楽音発生部１２５に出力する。この結果、操作者が操作子５０を早く振るほど音量が大きくなり、また、遅く振るほど音量が小さくなる楽音制御が行われる。
一方、インターフェイス１２７は、演奏パラメータ決定部１２４が決定した演奏パラメータと演奏されている曲を示す曲ＩＤをユーザ端末装置２に供給し、ユーザ端末装置２は供給された情報にユーザ識別子ＵＩＤを付して処理サーバ３に出力する。
【００４０】
処理サーバ３においては、以下の処理を行う。まず、処理サーバ３は、演奏パラメータを生体情報として受け取り、ユーザＡの診断結果ファイルＦ２に曲ＩＤとともに書き込む。以後同様にして、ユーザＡが演奏を行う毎に曲ＩＤとともに演奏パラメータが書き込まれていく。
【００４１】
次に、処理サーバ３のＣＰＵ５は、診断結果ファイルＦ２に記憶されている演奏パラメータについて診断を行う。この診断は、以下のように行われる。
まず、診断結果ファイルＦ２に記憶されている演奏パラメータと曲ＩＤから、その曲に対してどのような音量制御が行われたかを検出する。一方、診断情報記憶部１０には、予め複数の曲についての音量制御の標準的なデータが記憶されている。例えば、ある曲について、曲の盛り上がりの部分では音量を大きくし、曲の最後の部分では音量を小さくするのが一般的な演奏であった場合には、そのような演奏に対応した音量制御となるような標準データが記憶されている。
ＣＰＵ５は、診断結果ファイルＦ２から読み出したユーザＡの音量制御と、診断情報記憶部１０から曲ＩＤをキーにして読み出した標準データとを比較し、標準データからの隔たり具合により診断を行う。例えば、曲の盛り上がりの部分でもほとんど音量が大きくされていないときは、「力が弱まってきている」という診断や、曲のニュアンスが感じ取れない精神的な病があると診断する。この診断結果は、第１実施形態と同様に診断結果ファイルＦ２に蓄積される。
【００４２】
そして、蓄積された演奏パラメータや診断結果が、送信条件ファイルＦ４に記述された条件に従って、送信先ファイルＦ３に記載された送信先に送信され、これによりユーザＡは各種サービスを受けることができる。なお、サービスそのものの態様は第１実施形態と同様である。
以上は、音量制御についての診断であったが、曲のテンポや音色の制御についても上記と同様の診断を行うことができる。このような演奏を行うことによって得られた生体情報に基づく肉体的健康管理および精神的健康管理は、特に音楽療法に好適である。この場合、どんな音楽療法を行ったかというデータをユーザ情報ファイルに日時データとともに記憶させておけば、治療に対する効果を知ることができ、これを多くのユーザについて長期間実施すれば信頼性の高い臨床データを採取することができる。
また、上述の説明では楽音発生装置１００から演奏パラメータを出力するように構成したが、これに代えて、情報解析部１２３の解析結果（動きを示す情報）を出力するようにし、この解析結果に基づいて診断を行うようにしてもよい。
【００４３】
また、診断においては、診断情報記憶部１０内の標準データとの比較だけでなく、診断結果ファイルＦ２内の過去のデータとの比較によって診断を行ってもよい。例えば、過去においては、ある強さで操作子５０を振っていたが、その値がだんだん小さくなってきた（あるいは平均値が小さくなっていた）という場合には、「筋力が低下している」という診断を行うこともできる。
なお、この種の電子楽器は例えば、特開平１４−７３８１９号公報等に記載されている。
【００４４】
［Ｃ．変形例］
以上、本発明の実施形態について説明したが、本発明は上述した実施形態に限定されることなく、他の様々な形態で実施可能である。
【００４５】
（変形例１）
上述した第２実施形態は、生体情報収集装置として電子楽器を用いた場合であったが、電子楽器以外の楽器を用いても生体情報を収集することができる。
例えば、図５に示すように、エレキギター４００からの楽音信号（ピックアップ４００ａによって検出される信号）の強さを信号強度検出器４０１によって検出し、その検出結果をユーザ端末装置２から処理サーバ３に送信し、診断結果ファイルＦ２に蓄積する。そして、診断結果ファイルＦ２に記録されている信号強度の推移から「元気が維持されている」「力が弱まっている」等の診断を行ってもよい。
【００４６】
同様に図６に示すバンドネオン４１０においては、内部に送風圧力を検出するセンサ４１０ａを設けて、そのセンサ信号を上記と同様に処理する。図７に示すバイオリン４２０、図８に示すアコースティックギター４３０においても、それらの発生音を検出するセンサ４２０ａ、４３０ａを各々設け、そのセンサ出力に基づいて上記と同様の処理を行うことができる。また、図９に示すサキソフォン５００のような吹奏楽器の場合には、マウスピース５００ａの部分に演奏者の息を検出するブレスセンサ５００ｂを設け、その息の強さについて上記と同様の処理を行うこともできる。図６〜図９に示す態様においては、これらの楽器には発生音等を検出するセンサを組み込むことになるが、これは製造時に組み込んでもよく、また、楽器本体にセンサを固定する着脱自在のアタッチメントを装着するようにしてもよい。
【００４７】
（変形例２）
上述した変形例１においては、楽器を用いて生体情報を収集し、それによる診断を行ったが、そのようにして収集した情報に基づいてリハビリ指導を行うようにしてもよい。
例えば、図１０に示す楽譜をユーザ端末装置２に表示させ、かつ、リハビリに適するような演奏指導を行っても良い。ユーザＡが肺の運動機能を回復したい場合、ユーザＡがサキソフォンを演奏するのであれば、表示した楽譜にアクセント記号やクレシェンド記号を表示して、ユーザＡの肺機能を活性化するように演奏指導することができる。この場合、ユーザＡは曲の演奏に集中しながら、リハビリを意識することなく機能回復への指導を受けることができる。
これは他の楽器においても同様であり、指の運動のリハビリをするのであれば、次第にテンポを上げたり、音符の多い曲を提示するなど種々の変形が可能である。
このような処理を行う場合は、ユーザＡの診断結果に対してどんな内容（楽譜やアドバイス）を提示するかを予め診断情報記憶部１０に記憶しておけばよい。ＣＰＵ５は診断結果に応じた提示内容を適宜診断情報記憶部１０から読み出し、ユーザ端末装置２へ送信すればよい。
【００４８】
（変形例３）
第１実施形態においては、血圧や脈拍を直接検出する医療測定器（医療測定型生体情報生成手段）としてのセンサを用い、第２実施形態や変形例１，２においては、電子楽器または自然楽器を用いて生体情報を検出したが、これらを合わせてた形で実施しても良い。例えば、ギターなどの楽器に血圧センサなどを取り付け、楽器を弾いているときの楽音信号とともに、血圧センサの情報を収集し、これらを処理サーバ３に送信するようにしてもよい。
【００４９】
（変形例４）
上述した各実施形態および変形例においては、収集した生体情報に基づいて診断を行ったが、これらの生体情報は体を動かしたことによって生じているので、これを運動実績データとして集計してもよい。したがって、運動量や運動の定期性などを判断することができ、その評価が高ければ保険料を低額にするなどのサービスへ繋げることができる。すなわち、予防のための運動を行っていると判断できれば、病気になる確率は下がるので、保険料に反映するというサービスを行うことができる。
【００５０】
（変形例５）
ユーザ端末装置２からは生体情報とともにユーザ識別子ＵＩＤが送信されるので、処理端末装置３においては、各ユーザ識別子ＵＩＤ毎に、どの程度の測定が行われたかの頻度や量を測定し、それを点数化してマイレージ情報としてユーザ情報ファイルＦ１に蓄積してもよい。そして、このマイレージ情報の点数に応じた割引サービスやプレゼントなどを行うようにしてもよい。また、診断結果（解析結果）を点数化し、それをマイレージ情報としてもよい。
【００５１】
（変形例６）
生体情報を検出するセンサとしては、上述した人体の物理的変化を検出するもの（血管の動きや、演奏にともなう動き）だけでなく、例えば、唾液ストレスセンサのように人体の化学的な変化を検出するものを用いることもできる。
【００５２】
（変形例７）
演奏信号を生体情報として用いる場合は、上述した態様のように、演奏信号そのものを生体情報として用いてもよいが、演奏データに時刻データを付加して生体情報として用いてもよい。この場合には、どのような時間に演奏が行われたかが分かるので、演奏（あるいは演奏を運動として捉えた場合の運動実績）の規則正しさなどを判定することができる。さらに、演奏信号自体に信号処理を施して加工し、加工された情報を生体情報とすることもできる。
【００５３】
また、演奏信号を直接的にユーザ端末装置２に供給せず、楽器側で一時蓄えておいてもよい。この場合の記憶手段としては、磁気カード、ＩＣカードあるいはフラッシュメモリなど、楽器から取り出し可能なものが望ましい。また、これの記憶手段に、ユーザ識別子ＵＩＤを記憶させておけば、多数の人が使用する楽器の場合に好適である。すなわち、この場合には、楽器を弾く人が自分の記憶手段（カードなど）をその都度楽器に装着して用いることで、他人のデータとの混同を回避することができる。
また、記憶手段の中に楽器のメーカの識別コードを記憶させてもよい。処理サーバにおいて各種のサービス（特に、割引やマイレージサービスなど）を行う際に、特定のメーカだけにそのサービスを行うなどメーカ毎に対応を変化させることができる。
【００５４】
（変形例８）
上述した各実施形態においては、診断結果ファイルＦ２に記憶された生体情報や診断結果の中から、送信条件ファイルＦ４に記述されたものを選択して送信するようにしたが、ＣＰＵ５が送信条件ファイルＦ４の記述内容に応じて診断結果や生体情報をリアルタイムで（診断結果ファイルＦ２に記憶させることを介さずに）送信するようにしてもよい。
【図面の簡単な説明】
【００５５】
【図１】本発明の第１実施形態の構成を示すブロック図である。
【図２】同実施形態における処理サーバ３の構成を示すブロック図である。
【図３】同実施形態において多数のユーザに対応させる場合の構成例を示すブロック図である。
【図４】本発明の第２実施形態の構成を示すブロック図である。
【図５】生体情報収集装置としてエレキギターを用いた場合の外観図である。
【図６】生体情報収集装置としてバンドネオンを用いた場合の外観図である。
【図７】生体情報収集装置としてバイオリンを用いた場合の外観図である。
【図８】生体情報収集装置としてアコースティックギターを用いた場合の外観図である。
【図９】生体情報収集装置としてサキソフォンを用いた場合の外観図である。
【図１０】ユーザ端末装置２に表示させる楽譜の一例を示す図である。
【符号の説明】
【００５６】
１・・・生体情報収集装置（生体情報収集手段）、２・・・ユーザ端末装置、３・・・処理サーバ（処理端末装置）、５・・・ＣＰＵ（解析手段：送信手段：マイレージデータ生成手段）、８・・・通信インターフェイス（受信手段）、１０・・・診断情報記憶部（解析手段）、２０・・・サービス提供端末装置（送信先）、２５ａ・・・介護会社（送信先）、２５ｂ・・・カウンセラー（送信先）、２５ｃ・・・音楽療法士（送信先）、２５ｄ・・・保険会社（送信先）、３０・・・Ｂ端末（送信先）、５０・・・操作子（電子楽器体）、１００・・・楽音発生装置（生体情報生成手段）、４００・・・エレキギター（楽器体）、４００ａ・・・ピックアップ（生体情報生成手段）、４０１・・・信号強度検出器（生体情報生成手段）、４１０・・・バンドネオン（楽器体）、４１０ａ・・・センサ（生体情報生成手段）、４２０・・・バイオリン（楽器体）、４２０ａ・・・センサ（生体情報生成手段）、４３０・・・アコースティックギター（楽器体）、４３０ａ・・・センサ（生体情報生成手段）、５００・・・サキソフォン（楽器体）、５００ａ・・・ブレスセンサ（生体情報生成手段）、ＵＦ・・・ユーザファイル、Ｆ１・・・ユーザ情報ファイル（マイレージデータ記憶手段）、Ｆ２・・・診断結果ファイル、Ｆ３・・・送信先ファイル（アドレス記憶手段）、Ｆ４・・・送信条件ファイル（送信条件記憶手段）。
【図１】
2005279051.tif 000003
【図２】
2005279051.tif 000004
【図３】
2005279051.tif 000005
【図４】
2005279051.tif 000006
【図５】
2005279051.tif 000007
【図６】
2005279051.tif 000008
【図７】
2005279051.tif 000009
【図８】
2005279051.tif 000010
【図９】
2005279051.tif 000011
【図１０】
2005279051.tif 000012